(57)【要約】【課題】集合住宅内への無断進入を確実に防止する。【解決手段】集合住宅の共用玄関４部には、キーシンボルが数値でない入力装置１１と、集合インターホン１２と、ＩＣカード発行装置１３と、テレビカメラ１４とを有するメインコントロール装置１０を備え、各住戸側には、集合インターホンとの通信可能な住戸用インターホン２１と、テレビカメラ１４から伝送された映像を表示する表示装置２２と、ＩＣカード発行装置１３から機能限定付きＩＣカードＡの発行指令スイッチ２３とを備え、発行されたＩＣカードＡに記録されたデータ読取りにて、前記共用玄関のドア５を一時的に開閉する自動扉装置３０を備え、さらに、共用玄関の内側には、ＩＣカードＡの取込み装置１６を備え、退館時に前記取込み装置に挿入された前記ＩＣカードＡが正規である場合には、当該ＩＣカードを取込み収納した後、前記自動扉装置を一時的に作動させる。【選択図】  図２
2004265007.tif 000002
【特許請求の範囲】
【請求項１】
集合住宅等における共用玄関にて特定の者のみの出入りを許容する集合住宅用セキュリティシステムであって、
前記共用玄関部には、キーシンボルが数値でない入力装置と、集合インターホンと、ＩＣカード発行装置と、テレビカメラ等の撮像手段とを有するメインコントロール装置を備え、
各住戸側には、前記集合インターホンとの通信可能な住戸用インターホンと、前記撮像手段から伝送された映像を表示する表示装置と、前記ＩＣカード発行装置から機能限定付きＩＣカードの発行を許容するカード発行指令スイッチとを備え、
前記発行された機能限定付きＩＣカードに記録されたデータ読取りにて、解錠命令を受けて前記共用玄関のドアを一時的に開閉する自動扉装置を備えたことを特徴とする集合住宅用セキュリティシステム。
【請求項２】
前記集合住宅の共用玄関の内側には、前記機能限定付きＩＣカードの取込み装置を備え、退館時に前記取込み装置に挿入された前記機能限定付きＩＣカードが正規である場合には、当該ＩＣカードを取込み収納した後、前記自動扉装置を一時的に作動させるように構成したことを特徴とする請求項１に記載の集合住宅用セキュリティシステム。
【請求項３】
前記各住戸側には、当該居住者用の非接触式ＩＣカード及び前記機能限定付きの非接触式ＩＣカードにより住戸ドアを解錠するための解錠装置を備えたことを特徴とする請求項１または２に記載の集合住宅用セキュリティシステム。
【請求項４】
前記機能限定付きＩＣカードは、発行日の当日限り及び／または１回の入館、退館のみ使用可能とするデータが記録されていることを特徴とする請求項１乃至３のいずれかに記載の集合住宅用セキュリティシステム。
【請求項５】
前記集合住宅における共用エレベータ、階段及び各階の共用通路に設けられた扉は、前記居住者用の非接触式ＩＣカード及び機能限定付きＩＣカードに予め記録されたデータに従ってのみ開閉可能に構成されていることを特徴とする請求項１乃至４のいずれかに記載の集合住宅用セキュリティシステム。
【請求項６】
前記共用玄関の使用履歴及び前記機能限定付きＩＣカード使用者の映像を記録する管理用コンピュータを有することを特徴とする請求項１乃至５のいずれかに記載の集合住宅用セキュリティシステム。
【請求項７】
前記集合住宅における共用エレベータ内、階段及び各階の共用通路には、前記機能限定付きＩＣカードの有無を検知するカード検出器を設け、
前記機能限定付きＩＣカードの不携帯者を検知したとき、館内放送を行う通報手段を備えたことを特徴とする請求項１乃至６のいずれかに記載の集合住宅用セキュリティシステム。
【発明の詳細な説明】
【０００１】
【発明の属する技術分野】
本発明は、集合住宅の居住者の住戸に来訪する特定の者のみに対して、当該集合住宅の共用玄関の扉を開けて出入りを許容する集合住宅用セキュリティシステムの構成に関するものである。
【０００２】
【従来の技術】
従来から集合住宅用のセキュリティシステムとして、例えば特許文献１では、集合住宅等の共用玄関にて居住者等の特定の者のみの出入りを許容する集合住宅用セキュリティシステムにおいて、前記共用玄関に設置するメインターミナルには、キー入力の際のガイダンスを表示し、その時必要なキーシンボルを表示するＬＣＤタッチパネルと、インターホンと、テレビカメラと、ＩＣカードのデータを非接触式で読み出すＩＣカードリーダと、キー入力時のガイダンス、非常発生を音声によって通知する音声合成装置と、防犯センサ表示灯と、エレベータ非常表示灯等の各種表示灯と、メインターミナルの機能制御、ドア開き信号の発信、パソコンとの通信制御を行う制御回路とを備える。この制御回路にパソコンを接続する。また、各部屋に設けるサブターミナルは、メインターミナルのインターホンと会話するための住戸用インターホン、マンション等の集合住宅の玄関口の自動ドアの解錠ボタン、自宅玄関ドアの解錠ボタン等を設けた操作パネル、テレビカメラの映像信号を受けて放映するモニタテレビを備えている。さらに、メインターミナルに出力して前記表示灯により発報する警報装置やエレベータ内の非常発信装置を有するものが開示されている。
【０００３】
【特許文献１】
特開２０００−２００３９６号公報
【０００４】
【発明が解決しようとする課題】
しかしながら、前記特許文献１に記載の構成では、部外者、例えば悪質な訪問販売者や、執拗な勧誘セールスマンが、共用玄関に備えられた集合インタ−ホンにおけるテンキー部ででたらめに住居番号（室番号）を入力することができるから、各住居の室内にいる住人は一々その呼出しに応答しなければならないという煩わしさがあった。また、前記の悪質な訪問販売者や、執拗な勧誘セールスマンは、その訪問の意図を隠す等して言葉巧みに前記一人の居住者に玄関ドアを解錠させるように誘導し、一旦集合住宅の共用部分に入ってしまうと、その集合住宅内を自由に移動できることになり、当該集合住宅内の多数の住居の住人に対して勧誘を行う等の迷惑行為を許すことになるという問題があった。
【０００５】
さらに、前記訪問販売者等や空き巣狙い等を目的とする者が、前記共用玄関のドアを開いて入る居住者の後に続いて進入してしまうことがあったが、前記特許文献１に記載の構成では、その者を不審者とみなすことが困難であり、また、一旦集合住宅の共用部分に入ってしまうと、その集合住宅内を自由に移動できることになり、不法行為を未然に防ぐことができず、安全面で問題があった。
【０００６】
本発明は、この従来の技術の問題点を解決し、防犯の安全性を向上させた集合住宅用のセキュリティシステムを提供することを目的とするものである。
【０００７】
【課題を解決するための手段】
前記目的を達成するため、請求項１に記載の発明は、集合住宅等における共用玄関にて特定の者のみの出入りを許容する集合住宅用セキュリティシステムであって、前記共用玄関部には、キーシンボルが数値でない入力装置と、集合インターホンと、ＩＣカード発行装置と、テレビカメラ等の撮像手段とを有するメインコントロール装置を備え、各住戸側には、前記集合インターホンとの通信可能な住戸用インターホンと、前記撮像手段から伝送された映像を表示する表示装置と、前記ＩＣカード発行装置から機能限定付きＩＣカードの発行を許容するカード発行指令スイッチとを備え、前記発行された機能限定付きＩＣカードに記録されたデータ読取りにて、解錠命令を受けて前記共用玄関のドアを一時的に開閉する自動扉装置を備えたことを特徴とするものである。
【０００８】
また、請求項２に記載の発明は、請求項１に記載の集合住宅用セキュリティシステムにおいて、前記集合住宅の共用玄関の内側には、前記機能限定付きＩＣカードの取込み装置を備え、退館時に前記取込み装置に挿入された前記機能限定付きＩＣカードが正規である場合には、当該ＩＣカードを取込み収納した後、前記自動扉装置を一時的に作動させるように構成したものである。
【０００９】
そして、請求項３に記載の発明は、請求項１または２に記載の集合住宅用セキュリティシステムにおいて、前記各住戸側には、当該居住者用の非接触式ＩＣカード及び前記機能限定付きの非接触式ＩＣカードにより住戸ドアを解錠するための解錠装置を備えたものである。
【００１０】
請求項４に記載の発明は、請求項１乃至３のいずれかに記載の集合住宅用セキュリティシステムにおいて、前記機能限定付きＩＣカードは、発行日の当日限り及び／または１回の入館、退館のみ使用可能とするデータが記録されているものである。
【００１１】
請求項５に記載の発明は、請求項１乃至４のいずれかに記載の集合住宅用セキュリティシステムにおいて、前記集合住宅における共用エレベータ、階段及び各階の共用通路に設けられた扉は、前記居住者用の非接触式ＩＣカード及び機能限定付きＩＣカードに予め記録されたデータに従ってのみ開閉可能に構成されているものである。
【００１２】
請求項６に記載の発明は、請求項１乃至５のいずれかに記載の集合住宅用セキュリティシステムにおいて、前記共用玄関の使用履歴及び前記機能限定付きＩＣカード使用者の映像を記録する管理用コンピュータを有するものである。
【００１３】
請求項７に記載の発明は、請求項１乃至６のいずれかに記載の集合住宅用セキュリティシステムにおいて、前記集合住宅における共用エレベータ内、階段及び各階の共用通路には、前記機能限定付きＩＣカードの有無を検知するカード検出器を設け、  前記機能限定付きＩＣカードの不携帯者を検知したとき、館内放送を行う通報手段を備えたものである。
【００１４】
【発明の実施の形態】
次に、本発明を具体化した実施形態について説明する。図１は集合住宅の一部平面図、図２は本発明の集合住宅用セキュリティシステムの機能ブロック図である。本発明において、集合住宅２とは、複数の住戸３，３，３‥‥の居住者等が使用する自動ドア５付き共用玄関４、廊下６、非常階段等の階段（図示せず）を備えたマンション等であって、共用玄関４は主（表）玄関のほか、通用扉等の複数あっても良い。また、各住戸３には住戸ドア７を備えている。
【００１５】
集合住宅２における共用エレベータ８や階段、各階における共通通路である廊下６には扉９が設けられており、これらの扉９は、後述するＩＣカード検知装置３１の検知信号を受けて図示しない自動扉装置が作動して、一時的に開閉するように構成されている。
【００１６】
本発明の集合住宅用セキュリティシステム１は、訪問販売者、勧誘者等の居住者にとって好ましくない来訪者及び不審者を前記共用玄関４から入れないようにし、居住者にとって必要な来訪者、例えば居住者から予め暗証記号を知らされた人のみに対して、共用玄関４からの出入りを許容すると共に、その入館、退館の回数も制限できるようにすることを目的とするものである。
【００１７】
本発明の集合住宅用セキュリティシステム１は、メインコントロール装置１０と、各住戸３側に設ける副コントローラ２０と、前記共用玄関４の自動ドア５を一時的に開閉するための自動扉装置３０等とを備えている。
【００１８】
前記メインコントロール装置１０は、パーソナルコンピュータ等の電子処理装置であって、後述のような自動扉装置の作動のための各種演算や命令等の処理を実行するための制御部としての中央処理装置（ＣＰＵ）と、前記ＣＰＵで実行するプログラム等を記憶するＲＯＭ（読み出し専用メモリ）と、各種のデータを記憶する記憶部と、入出力インターフェイスとを備える。メインコントロール装置１０がパーソナルコンピュータである場合には、ＣＲＴや液晶パネル等の表示装置を備えて良い。
【００１９】
メインコントロール装置１０には、キーシンボルが数値でない入力装置１１と、集合インターホン１２と、ＩＣカード発行装置１３と、テレビカメラ等の撮像手段１４と、入館時ＩＣカード検知装置１５と、退館時ＩＣカード取込み装置１６とが接続されている。前記入力装置１１は、各キーの表面に刻印等されたキーシンボルが数値（０〜９）ではなく、ローマ字、もしくは平仮名、カタカナ等の文字キャラクタ等からなり、テンキーのように住戸の室ナンバーと直接対比できないようにしている。入力装置１１は、液晶タッチパネル方式であっても良い。各住戸の居住者は、４文字〜６文字の組み合わせによる暗証記号を予め管理者側に登録し、この暗証記号はメインコントロール装置１０や後述するメンテナンスまは管理用コンピュータ４０におけるハードディスク等の記憶装置に格納しておく。
【００２０】
前記入力装置１１におけるキー等の入力部と、集合インターホン１２における音声入力部（マイクロホン）及び発生部（スピーカ）と、ＩＣカード発行装置１３におけるカード放出口と、撮像手段１４と、入館時ＩＣカード検知装置１５とは少なくとも、前記共用玄関４における自動ドア５より外側に配置されている。メインコントロール装置１０自体や、前記ＩＣカード発行装置１３の主要部等と退館時ＩＣカード取込み装置１６とは自動ドア５より内側（集合住宅内）に配置されている。
【００２１】
ＩＣカード発行装置１３には、機能限定付きの非接触式のＩＣカードＡが多数枚収納されている。このＩＣカードＡに埋設されたＩＣチップには、適用する集合住宅の名称等のデータ等の共通項目のデータや、後述する機能限定のためのデータは予め記憶させて良いが、少なくとも発行年月日、及び発行する居住者の氏名やその住戸番号等のデータは未登録状態である。後述するように、カード発行指令スイッチ２３が押されると、メインコントロール装置１０は、該当する居住者の氏名、室番号のデータと共に発行年月日のデータをＩＣチップに記憶させ、その履歴を別途記憶装置に記憶した後、そのＩＣカードＡを発行するように前記ＩＣカード発行装置１３に発行指令を出す。この機能限定付きのＩＣカードＡは、通常当該発行年月日の当日限り有効であるという制限や、当日の所定時間帯のみ有効であるという制限、その日の１回の入館及び退館で使用した後は無効となるような機能制限付きである。なお、居住者用の非接触式のＩＣカードＢには、前記のような機能制限はない。
【００２２】
前記入館時ＩＣカード検知装置１５は、従来から公知の構成の非接触式のＩＣカードＡ，Ｂを検知し、それに書き込まれているデータを読取ることが可能なものであり、通信距離（ＩＣカードとそれの読取り部との間隔）が１メートル程度以内に設定されている。
【００２３】
前記共用エレベータ８の扉や各階における廊下６に設けられた扉９毎に対応させて、それらの扉９の近傍にも、前記入館時ＩＣカード検知装置１５と同様のＩＣカード検知装置３１が配置されている。そして、居住者用の非接触式のＩＣカードＢ及び前記制限機能付きの非接触式のＩＣカードＡを所持する人が各ＩＣカード検知装置３１の近傍を通過するとき、前記各ＩＣカードＡ，Ｂにそれぞれ予め記録されているデータを各ＩＣカード検知装置３１が読取り、降りる階でのみ共用エレベータ８の扉を開き、また、到達すべき居住者の住戸３がある方の廊下６にのみ通過できるようにこの各ＩＣカード検知装置３１の検知信号を受けて自動扉装置３２が作動して、前記扉を一時的に開閉する。
【００２４】
前記副コントローラ２０もパーソナルコンピュータ等であって、該副コントローラ２０には、前記集合インターホン１２との通話（通信）可能な住戸用インターホン２１と、前記撮像手段１４から伝送された映像や、その他の映像を表示でき、音声も発することができる液晶パネル等の表示装置（モニタ）２２と、前記ＩＣカード発行装置１３から機能限定付きＩＣカードＡの発行を許容するカード発行指令スイッチ２３と、居住者用の非接触式のＩＣカードＢ及び前記機能限定付きのＩＣカードＡを検知して、該当する住居の住戸ドア７を解錠するための住居ドア解錠装置２４等が接続されている。
【００２５】
また、退館時のために、集合住宅におけるエントランスホール内等であって、共用玄関４の自動ドア５より内側の近傍には、前記機能限定付きＩＣカードの取込み装置１６を備える。この退館時ＩＣカード取込み装置１６には、ＩＣカードの挿入部と、その挿入部内に配置されたＩＣカード検知装置１７と、このＩＣカード検知装置１７により、機能限定付きのＩＣカードＡであると判断したときに取り出し不能とするカード収納部１８とを備えている。
【００２６】
次にこれらの構成のセキュリティシステムの作用について説明する。本発明のセキュリティシステムを備えた集合住宅の居住者は、その住戸に訪問することを許容する来訪者に対して、予め暗証記号（例えば４文字のローマ字、ＥＦＧＨ）を教えておく。この暗証記号が正規であるときには、前記共用玄関前の入力装置１１から入力すると、該当する住戸における住戸用インターホン２１にのみ呼出し音を鳴らすことができる。
【００２７】
従って、前記入力装置１１のキーをアトランダムに押しても、正解となる確率（つまり、居住者により予め登録された暗証記号の組み合わせに一致する確率）が極めて低くなるので、いたずら者や、悪質な訪問販売者、執拗な勧誘セールス等の人が、集合住宅内の居住者とコンタクトをとることを困難にできる。
【００２８】
呼び出された居住者は、住戸用インターホン２１をＯＮさせると、当該住戸用インターホン２１と前記集合インターホン１２とが通話状態になり、また、共用玄関外のテレビカメラ１４にて来訪者の顔、姿が撮像されいるので、居住者側の表示装置（モニタ）２２に来訪者の顔等の映像が送られて、当該来訪者が誰であるかを認識できる。
【００２９】
居住者が、前記来訪者を集合住宅内に入れるためには、室内のカード発行指令スイッチ２４を押す。これにより、前記ＩＣカード発行装置１３から機能限定付きの非接触式のＩＣカードＡが１枚発行される。招いた来訪者が複数人の場合には、前記カード発行指令スイッチ２４を必要回数だけ押すとその押した数だけのＩＣカードＡが発行される。
【００３０】
このＩＣカードＡを持参して共用玄関４の自動ドア５に近づき、その近傍に配置されている入館用ＩＣカード検知装置１５の箇所を通過したとき、または、入館用ＩＣカード検知装置１５に前記ＩＣカードＡを接近させ、もしくはかざすと、当該装置１５にて、前記ＩＣカードＡが正規のものであるか否かを検知し、正規の場合のみ、自動扉装置３０が作動して、自動ドア５は所定の短時間だけ開いた後、閉じるのである。
【００３１】
このようにして、居住者が入館を許容する者に対してのみ、共用玄関口で所定のＩＣカードが発行され、そのＩＣカードがなければ、自動ドア５は開かないから、悪質な訪問販売者、執拗な勧誘セールス等の部外者を集合住宅内に入れないようにできる。
【００３２】
この機能限定付きＩＣカードＡは、前述のように、通常当該発行年月日の当日限り有効であるという制限、当日の所定時間帯のみ有効であるという制限、１回の入館及び退館で使用した後は無効となるような機能限定のデータが書き込まれている。また、訪問する住戸番号も書き込まれている。
【００３３】
そして、前記共用エレベータ８の扉や各階における廊下６に設けられた扉９毎に対応させて、それらの扉９の近傍にも、前記入館時ＩＣカード検知装置１５と同様のＩＣカード検知装置３１が配置されているので、そのＩＣカード検知装置３１の箇所を通過する毎に、またはＩＣカード検知装置３１にＩＣカードを接近させたり、かざす毎に、正規のＩＣカードＡまたＢの携帯の有無を検知することができる。万一、正規のＩＣカードＡまたＢの携帯者の後に続いて、ＩＣカード無携帯者が紛れ込んだ場合には、このデータをメインコントロール装置１０に送り、メインコントロール装置１０は、館内に設置された複数箇所のスピーカなどの警報装置３２を作動させて、不審者（ＩＣカード無携帯者）が紛れ込んだことを合成音声発生装置を介して報知する等して警戒を呼びかけることができる。
【００３４】
また、前記共用エレベータ８の扉や各階における廊下６に設けられた扉９は、正規のＩＣカードＡまたＢであって、正しい順路に従って通過しているときのみ一定時間だけ開き作動するように構成されている。従って、例えば、訪問する住戸が３階であり、その階の廊下６の右側に位置するとき、来訪者が共用エレベータ８に乗ると、当該共用エレベータ８は３階でのみ扉が開く。また、その階の廊下６の右側の扉９のみが開くから、来訪者は、開いた扉の箇所に沿って前進すれば良く、正しい住戸番号の箇所に円滑に導かれる。反対に、不審者（ＩＣカード無携帯者）が住戸のある箇所（廊下）に入り込めないのである。
【００３５】
なお、前記共用エレベータ８内や扉９の付近を撮像したり、センサを設け、共用エレベータ８の扉や部品または前記扉９等をいたずらされたり、破損されたときには、その箇所が現在攻撃を受けている旨のアナウンスを合成音声発生装置を介して報知する等して警戒を呼びかけることができる。
【００３６】
来訪者が目指す住戸番号の箇所に到達すれば、その住戸用インターホン２１を押し、室内の住居者に来訪の旨を伝え、住戸ドア７を開いてもらうか、前記機能限定付きＩＣカードＡをドア近くのＩＣカード検知装置（図示せず）に接近させて、住戸ドア解錠装置２４を作動させて住戸ドア７を開けば良い。居住者が所持する正規のＩＣカードＢでも前記と同様にして入館でき、所定の住戸に到達できる。
【００３７】
退館時には前記と逆の順路で、共用玄関４に辿り着くことができる。そして、共用玄関４内の退館用ＩＣカード取込み装置１６に、退出者が所持していた前記機能限定付きＩＣカードＡを挿入する。その内部のＩＣカード検知装置１７が機能限定付きＩＣカードＡであると判断すると、当該ＩＣカードＡをカード収納部１８に取り込んで排出しない。そして、自動ドア５が所定の短時間だけ開くので、退出することができる。
【００３８】
前記したように、機能限定付きＩＣカードＡは、その発行年月日の当日限り有効であるという制限や、１回の入館及び退館で使用した後は無効となるような機能限定付きであり、さらに、前述のように退館時には、ＩＣカードＡは取り込まれてしまうから、後日に悪用されることがない。
【００３９】
なお、居住者の近親者のように、その住戸に数日間等短期滞在する者に対しては、別途通用期間限定付きのＩＣカードを、管理者等から発行してもらい、これを使用すれば良い。
【００４０】
なお、共用玄関４内の通路等にテレビカメラ等を設置しておき、共用玄関４の使用履歴と共に前記機能限定付きＩＣカード使用者の映像を、管理用コンピュータ４０の記録装置に記録・保存するようにしておけば、後日の証拠等にも利用することができる。管理用コンピュータ４０をこのシステムの保守会社等の遠隔地に設置しても良いし、管理用コンピュータ４０と、遠隔地のシステム保守会社や警備会社のサーバとを通信回線を介して接続しておき、種々情報を相互に伝送したり、集合住宅の各住居者に対して、居住者全員に共通する情報や、個別の住居者にのみ知らせる個別情報等の掲示案内を出力するようにしても良い。
【００４１】
なお、各住戸３に備えた副コントローラ２０に、火災報知器、ガス感知器、窓マグネットスイッチ、住戸ドアガード検知器、非常押しボタン、クーラ等のスイッチなどを接続して、各住戸内の安全を確保し、自動運転を実行するようにしても良い。
【００４２】
【発明の効果】
以上に説明したように、請求項１に記載の発明は、集合住宅等における共用玄関にて特定の者のみの出入りを許容する集合住宅用セキュリティシステムであって、前記共用玄関部には、キーシンボルが数値でない入力装置と、集合インターホンと、ＩＣカード発行装置と、テレビカメラ等の撮像手段とを有するメインコントロール装置を備え、各住戸側には、前記集合インターホンとの通信可能な住戸用インターホンと、前記撮像手段から伝送された映像を表示する表示装置と、前記ＩＣカード発行装置から機能限定付きＩＣカードの発行を許容するカード発行指令スイッチとを備え、前記発行された機能限定付きＩＣカードに記録されたデータ読取りにて、解錠命令を受けて前記共用玄関のドアを一時的に開閉する自動扉装置を備えたことを特徴とするものである。
【００４３】
このように構成すれば、従来のテンキー式の入力装置のように、キーのシンポルの数値と住戸番号とが対応するような連想が働かず、ランダムに本発明の入力装置を作動させても、住居者にコンタクトをとることが困難になるから、悪質な訪問販売者や執拗な勧誘セールスに対して一々対応しなくて済む。また、居住者が許容した来訪者のみに機能限定付きＩＣカードを発行し、そのＩＣカードを携帯した者しか入館できないから、悪質な訪問販売者、執拗な勧誘セールス等の部外者を集合住宅内に入れないようにでき、セキュリティの安全性が向上するという効果を奏する。
【００４４】
また、請求項２に記載の発明は、請求項１に記載の集合住宅用セキュリティシステムにおいて、前記集合住宅の共用玄関の内側には、前記機能限定付きＩＣカードの取込み装置を備え、退館時に前記取込み装置に挿入された前記機能限定付きＩＣカードが正規である場合には、当該ＩＣカードを取込み収納した後、前記自動扉装置を一時的に作動させるように構成したものである。
【００４５】
このように構成すれば、退館時には、前記機能限定付きＩＣカードは取り込まれてしまうから、後日に再度使用され等の悪用されることがない。
【００４６】
そして、請求項３に記載の発明は、請求項１または２に記載の集合住宅用セキュリティシステムにおいて、前記各住戸側には、当該居住者用の非接触式ＩＣカード及び前記機能限定付きの非接触式ＩＣカードにより住戸ドアを解錠するための解錠装置を備えたものであるから、請求項１または２に記載の発明による効果に加えて、解錠、施錠の便利性が一層向上する。
【００４７】
請求項４に記載の発明は、請求項１乃至３のいずれかに記載の集合住宅用セキュリティシステムにおいて、前記機能限定付きＩＣカードは、発行日の当日限り、且つ１回の入館、退館のみ使用可能とするデータが記録されているものである。
【００４８】
このように、来訪者に発行するＩＣカードの機能を限定しておけば、後刻の再利用ができず、請求項１乃至３のいずれかに記載の発明による効果に加えて、セキュリティの安全性が一層向上するという効果を奏する。
【００４９】
請求項５に記載の発明は、請求項１乃至４のいずれかに記載の集合住宅用セキュリティシステムにおいて、前記集合住宅における共用エレベータ、階段及び各階の共用通路に設けられた扉は、前記居住者用の非接触式ＩＣカード及び機能限定付きＩＣカードに予め記録されたデータに従ってのみ開閉可能に構成されているものである。
【００５０】
従って、許容された来訪者が大きい集合住宅内で行き先を誤ることがないし、他方、機能限定付きＩＣカードの不携帯者を共用玄関等でうろついている不審者もしくは不法侵入者と見做すことが容易になり、セキュリティシステムの信頼性を向上させることができる。そして、前記不審者を、集合住宅内の不特定の場所に野放しにすることを防止して、特定の箇所に閉じ込めることが可能となり、防犯上の効果が一層向上する。
【００５１】
請求項６に記載の発明は、請求項１乃至５のいずれかに記載の集合住宅用セキュリティシステムにおいて、前記共用玄関の使用履歴及び前記機能限定付きＩＣカード使用者の映像を記録する管理用コンピュータを有するものである。
【００５２】
このように構成すれば、防犯上の効果が一層増大するという効果を奏する。
【００５３】
請求項７に記載の発明は、請求項１乃至６のいずれかに記載の集合住宅用セキュリティシステムにおいて、前記集合住宅における共用エレベータ内、階段及び各階の共用通路には、前記機能限定付きＩＣカードの有無を検知するカード検出器を設け、前記機能限定付きＩＣカードの不携帯者を検知したとき、館内放送を行う通報手段を備えたものであるから、正規のＩＣカードの携帯者に続いて無断で入り込んだ外部者を不審者として検知でき、住居者等に迅速に報知でき、防犯上の効果がさらに向上するという効果を奏する。
【図面の簡単な説明】
【図１】本発明のセキュリティシステムを備えた集合住宅の概略平面図である。
【図２】本発明のセキュリティシステムの機能ブロック図である。
【符号の説明】
１        集合住宅用セキュリティシステム
２        集合住宅
３        住戸
４        共用玄関
５        自動ドア
６        廊下
７        住戸ドア
８        共用エレベータ
９        扉
１０        メインコントロール装置
１１        入力装置
１２        集合インターホン
１３        ＩＣカード発行装置
１４        撮像手段としてのテレビカメラ
１５        入館時ＩＣカード検知装置
１６        退館時ＩＣカード取込み装置
２０        副コントローラ
３０        自動扉装置
【図１】
2004265007.tif 000003
【図２】
2004265007.tif 000004